(57)【要約】【課題】  タイルに剥離が生じてもタイルの落下を防止でき、さらに、タイルユニット同士で形成される目地部分にも補強ができ、このユニット同士の連結が強化される。【解決手段】  複数枚のタイル１０で構成されるユニット１と網状体２とからなり、網状体２はタイルユニット１とほぼ同一面積で、合成樹脂繊維を素材とするものである。網状体２はユニット１の裏面において左右および上下にそれぞれ所定長ずらして接着剤で接着することにより固着し、このユニットを一体化してある。【選択図】      図３
2005273320.tif 000002
【特許請求の範囲】
【請求項１】
複数枚のタイルで構成されるユニットと、このユニットの裏面に固定されこのユニットとほぼ同一面積で、合成樹脂繊維を素材とする網状体とからなり、
上記網状体は上記ユニットの裏面において左右および上下にそれぞれずらして固着してある
ことを特徴とするユニットタイル。
【請求項２】
請求項１に記載のユニットタイルの網状体は、張付けモルタルに埋設してあることを特徴とするユニットタイルの施工構造。
【請求項３】
請求項１に記載のユニットタイルは、複数のユニットの間に、このユニット同士の伸縮を吸収する絶縁部が介在してあることを特徴とするユニットタイルの施工構造。
【発明の詳細な説明】
【技術分野】
【０００１】
本発明は、例えば鉄筋コンクリート造の建物の外壁面に張付けるユニットタイル及びこのユニットタイルの施工構造に関する。
【背景技術】
【０００２】
従来から鉄筋コンクリート造の建物の外壁面や梁の梁底の面にタイル張りをする工法として、下地であるコンクリート外壁に張付けモルタルでタイルを張付ける、いわゆる湿式工法が知られているが、この工法の場合、このタイルが剥落することがある。この剥落の原因としてタイルとこの張付けモルタルとの付着強度の不足、コンクリート壁とこの張付けモルタルとの付着強度の不足がある。そのため、タイルは張付けモルタルと一緒に剥落する場合がある。このような付着強度の不足は施工不良による施工上の問題は別としても、建物の外壁という過酷な環境条件が、経年変化的に付着強度の低下を招くことも指摘されている。例えば、外壁のタイルは常に直射日光や寒気にさらされているため絶えず膨張と収縮を繰返しているが、他方コンクリート壁は表面にタイルが張付けてあるため直射日光や寒気による影響は少ない。そのため、タイルとコンクリート壁との挙動に相違が生じ、張付けモルタル自体に亀裂が生じたり、タイルと張付けモルタルとの間や、張付けモルタルとコンクリート壁との間に剥離が生じる現象が起こり、この亀裂に雨水などが侵入すると水分の凍結などにより亀裂の拡大や剥離の拡大となり、その結果としてタイルが剥落する問題が発生する。  
このような問題を解決するため、従来からユニットタイルに網状体を貼着し、合わせて施工の容易化を図ることが提案されている。（特許文献１〜４）。
【特許文献１】特開平９−２６４０６２号公報
【特許文献２】特開平１１−９３３７６号公報
【特許文献３】特開平１１−８１６１９号公報
【特許文献４】特開平９−６０２５３号公報
【発明の開示】
【発明が解決しようとする課題】
【０００３】
ところが、これらの提案にはつぎのような問題がある。特許文献１ではタイルのうら足に連結材受入部が必要なため、特殊なタイルでなければ採用できない。また、特許文献２は金網を用いるものであるため、この金網が錆びるとこの錆による金網の膨張がモルタルに亀裂を生じさせ、タイルの剥離を増大させる懸念がある。特許文献３では網状体の素材としてステンレスを用いるため錆び難い利点は認められるが、網状体を加工するのに手間がかかる上に、ステンレスの網状体とモルタルとの膨張率がかなり異なるので、直射日光などが当たる外壁には不向きである。  
これらの問題点を解決しているのが、特許文献４で、網状体をエポキシ系の合成樹脂で構成しているもので、ユニットを構成するタイルがそれぞれ網状体の裏面に貼着されており、もしタイルの剥離が生じても剥落を防止するために、この網状体を下地にピンで固定する工法を提案している。この提案は優れた効果を奏するため実用化もされているが、施工工程として、前記したように網状体をピンで下地に固着する分だけ手間が掛かる問題がある。さらに、ユニットを構成するタイル同士の連結は図られているが、このユニット同士の連結は十分に図られていない。前記したように、タイルの剥落の原因の一つとして、膨張・収縮の繰返しによるタイルとコンクリート壁との挙動に相違があり、ユニット毎にタイルの連結が強化されると、各ユニット同士の連結の無さが強調されることになり、その結果として、そこに応力が集中し、各ユニット同士の目地のところで亀裂が生じやすくなる。
【０００４】
そこで、本願発明者は張付けモルタル内に網状体を敷設し、この張付けモルタルの補強とタイルの剥落を防止する工法に着目し、実験研究していた。ところが、このように張付けモルタル内に網状体を敷設することは、この張付けモルタルをコンクリート下地に塗り、このモルタルが固化しないうちに網状体を敷設し、タイルを張付ける施工法では、手間が掛かる上に、作業工程の多いことが施工不良を招くことにもなる。
【０００５】
そのため、本願発明の目的はタイルに予め網状体を貼着しておき、施工の容易化を図るユニットタイルを提案するものである。
【課題を解決するための手段】
【０００６】
本発明に係るユニットタイルの特徴は、複数枚のタイルでユニットを構成し、このユニットの裏面にこのユニットとほぼ同一面積で、合成樹脂繊維を素材とする網状体を固定したもので、この網状体は上記ユニットの裏面において左右および上下にそれぞれずらして固着してあるところにある。
【０００７】
また、本発明に係るユニットタイルの施工構造の特徴は、前記ユニットタイルの網状体は、張付けモルタルに埋設してあるところにある。  
さらに、このユニットタイルの施工構造の他の特徴は、前記のユニットタイルは、複数のユニットの間に、このユニット同士の伸縮を吸収する絶縁部が介在してあるところにある。
【発明の効果】
【０００８】
本発明の効果は、複数枚のタイルで構成されたユニットには網状体が固着してあるので、タイルに剥離が生じてもタイルの落下を防止でき、さらに、この網状体をずらして固着してあるので、タイルユニット同士で形成される目地部分にも補強ができ、このユニット同士の連結が強化される。また、ユニットタイルの施工構造によると、網状体により張付けモルタルが補強されているので、タイルとコンクリート壁との挙動の違いから生じる応力で張付けモルタルに亀裂が入るのを抑制でき、さらに、前記のように目地部分にも補強ができているので、目地部分での張付けモルタルの亀裂発生を抑制できる。
【発明を実施するための最良の形態】
【０００９】
以下、図面を参照して本発明の実施の形態を説明すると、本発明に係るユニットタイルの構造を説明すると、図１に示すように、複数枚のタイル１０で構成されるユニット１と、図２に示す網状体２とからなる。タイル１０は４５二丁（縦横４５ｍｍ×９５ｍｍ）と呼ばれる薄手のもので、図１〜図４の図示例では、１８枚のタイルを３列×６列に並べて４角形にして１ユニットとしてある。なお、タイル１０の表面は、図示していないが一枚の紙が貼られ、ユニットを形成している。
【００１０】
そして、図３、図４に示すように、網状体２は１８枚で構成されたタイルユニット１とほぼ同一面積で、合成樹脂繊維を素材とするものである。網状体２はユニット１の裏面において左右および上下にそれぞれ所定長ずらして接着剤で接着することにより固着し、このユニットを一体化してある。網状体２の合成樹脂素材としては、ビニロンなどのポリビニル系の樹脂、ポリアラミド系、ポリエステル系、ポリアミド系から適宜選択適用される。強度的にはアラミド系の樹脂がビニロンより高いが、ビニロンは構造的に水酸基（−ＯＨ）をもっており、親水性がよいため、モルタルになじみ易いことから好ましい。また、網状体２の繊度としては２０００ｄｔｅｘ（デシテックス）のものを用い、図２のように、正三角形が形成されるように繊維を交差させた、いわゆる３軸メッシュシートである。そして、網目の大きさは、正三角形の１辺の長さは１５ｍｍ〜３０ｍｍの範囲でよいが、好ましくは２０ｍｍ程度である。この網目の大きさは、タイル１０の裏足と張付けモルタル４（図５）との付着性から決定されるもので、網目を小さくする場合は、タイル１０の裏足と張付けモルタル４との付着性から繊維自体を細くしなければならないが、繊維を細くすると繊維自体に強度上の問題が生じる。逆に、網目を大きくすると、繊維強度の問題から繊維を太くする必要がある。また、網状体２をユニット１の裏面に接着する接着剤はエポキシ系のものがある。
【００１１】
網状体２はユニット１の裏面において左右および上下にそれぞれずらして貼着してあるが、このずれ寸法は１５ｍｍ程度である。その理由は、隣接するタイルユニット１への網状体２の掛かりしろは１０ｍｍ程度は必要であり、タイルの目地幅を５ｍｍとすると、網状体２のずれは１５ｍｍ未満では問題があり、１５ｍｍ以上は必要である。ただし、後述しているが網状体２のずれが２０ｍｍを越えると、この網状体を張付けモルタル２に埋設する作業がし難くなる。
【００１２】
次に、ユニットタイルの施工構造について説明すると、図５に示すように、コンクリート壁３の表面には張付けモルタル４が施工してあり、ユニット１の裏面に貼着してある網状体２は、この張付けモルタルに埋め込んである。そして、タイル１０にずれて貼着してある網状体２の飛び出し部分は、各ユニット１，１同士の連結を強化している。また、網状体２のタイル１０に対するずれが２０ｍｍを超えると、例えば図５の右端のタイル１０から網状体２の端部が飛び出しているが、この飛び出し部分が２０ｍｍを超えた状態になり張付けモルタル２に埋め込みにくい。
【００１３】
さらに、ユニットタイルは、複数のユニット１毎の間に、このユニット同士の伸縮を吸収する絶縁部５が介在してある。例えば、４５二丁の薄手のタイルのユニットは、３０ｃｍ角になるが、約１０〜１５ユニットを目安として絶縁部５が設けてある。この絶縁部５は、いわゆる伸縮調整目地であって、タイルユニット１同士の伸縮を吸収する部分で、その幅は１０ｍｍ〜１５ｍｍ程度であって、材質としてはポリサルファイド系等のシーリング材などが適用される。なお、図５の左側に位置するユニット１のタイル１０のように絶縁部５に当接しているタイル１０の裏面に貼着している網状体２はずれによりタイル面内に位置するが、もし、この網状体がタイル１０の縁から飛び出して絶縁部５に当接するような場合は、その飛び出した端部の網状体２は切断しておく。
【産業上の利用可能性】
【００１４】
発明の活用例として、コンクリート造の建物の外壁、梁底などの外面化粧として使用される。
【図面の簡単な説明】
【００１５】
【図１】タイルユニットの平面図
【図２】網状体の平面図
【図３】タイルユニットに網状体を接着させた状態の底面図
【図４】タイルユニットに網状体を接着させた状態の平面図
【図５】タイルユニットをコンクリート壁に施工した状態を示す断面図
【符号の説明】
【００１６】
１      複数のタイルからなるユニット
１０    タイル
２      網状体
３      コンクリート壁
４      張付けモルタル
５      絶縁部（伸縮調整目地）
【図１】
2005273320.tif 000003
【図２】
2005273320.tif 000004
【図３】
2005273320.tif 000005
【図４】
2005273320.tif 000006
【図５】
2005273320.tif 000007